(57)【要約】  本発明は、容易に掴むことができかつ平坦に位置するレトルト可能な蓋を前加工しかつ形成する方法に関し、蓋は、容器本体の本体フランジに継ぎ合わされるように構成されたカール状に径方向外側に延在しかつほぼ平坦なフランジに径方向内側に延在する蓋リング（２）であって、平坦フランジが中央ホイル（３）の縁部リング（３ｂ）に固着され、中央ホイルが当該蓋リングの内側開口部（８）であって平坦フランジ（２ｂ）の内側縁部の径方向内側にある内側開口部を覆う、蓋リングを有している。  中央ホイルは、径方向外縁部から延在し、かつ当該中央ホイル（３）の上面とほぼ平行で当該中央ホイルに近接して位置するタブ（１０）を有する。  タブは、外側部分（１０ａ）と内側部分（１０ｂ）との２つの径方向延在部分を有している。  内側部分（１０ｂ）は、当該内側部分と外側部分との間にある中間部分（１０ｃ）における押付または圧迫動作（Ｆａｘ；３０、４０）中において軸方向上方に起立し、当該内側部分（１０ｂ）をホイル面から離間するように強制させ、そして外側部分をホイルとほぼ平行に維持する。  同様に、蓋に関する。  蓋は、蓋リングと蓋ホイルとを備えており、蓋リング及び蓋ホイルは、共に機能しかつリング状様式で薄膜を蓋リングのパネルに固着する固着部分によって互いに結合されている。
2011500471.tif 000002
【特許請求の範囲】
【請求項１】
蓋（１）を前加工して形成する方法であって、
−  容器本体の本体フランジに継ぎ合わされるように構成されたカール状に径方向外側に延在しかつほぼ平坦な平坦フランジに径方向内側に延在する蓋リング（２）であって、前記平坦フランジが固着され（９）かつ中央ホイル（３）の縁部リング（３ｂ）に固着され、前記中央ホイルが当該蓋リングの内側開口部（８）であって前記平坦フランジ（２ｂ）の内側縁部の径方向内側にある内側開口部を覆う、蓋リングと、
−  タブ（１０）を有する中央ホイルであって、前記タブが径方向外側縁部から延在し、好ましくは径方向内側に折り畳まれ（１０ｄ）かつ当該中央ホイル（３）の上面とほぼ平行で当該中央ホイル（３）に近接して位置する、中央ホイルと、
を備え、
−  前記タブは、外側部分（１０ａ）と内側部分（１０ｂ）との２つの径方向延在部分を有し、
−−  前記内側部分（１０ｂ）は、当該内側部分と前記外側部分との間にある中間部分（１０ｃ）における押付または圧迫動作（Ｆａｘ；３０、４０）中において軸方向上方に起立し、当該内側部分（１０ｂ）をホイル面から離間するように強制させ、そして前記外側部分を前記中央ホイルとほぼ平行に維持することを特徴とする方法。
【請求項２】
前記押付または圧迫動作は、好ましくは前記タブ（１０）の幅全体に沿って、ストリップ部分（３２、３２’、３２”）に実行されることを特徴とする請求項１に記載の方法。
【請求項３】
前記タブの前記内側部分は、前記ホイルから約１０°から４５°だけ離間するように延在していることを特徴とする請求項１に記載の方法。
【請求項４】
前記内側部分（１０ｂ）は、折り畳まれた前記タブ（１０）の長さの１／３未満であることを特徴とする請求項１から３のいずれか１項に記載の方法。
【請求項５】
前記押付または圧迫動作は、上側ツール（３０）と、好ましくは互いに向けて相対的に移動する下側相補ツール（４０）と、によって実行されることを特徴とする請求項１に記載の方法。
【請求項６】
前記上側ツールは、前記中間部分（１０ｃ）における押し付けまたは圧迫に作用する突出部（３２）の構成部材を有するハンマーであることを特徴とする請求項５に記載の方法。
【請求項７】
前記突出部（３２、３２’、３２”）は、好ましくは断面ｖまたはｕとして、線状をなしていることを特徴とする請求項６に記載の方法。
【請求項８】
前記突出部は、ドット状をなしており、前記タブ（１０）にドット状の凹部（１０ｆ””）を生じさせることを特徴とする請求項６に記載の方法。
【請求項９】
前記上側ツール（３０）は、径方向内側に延在し、
前記タブの前記内側端部は、前記上側ツールのキャビティ（３１）であって径方向かつ軸方向上方に延在するキャビティの内側へ軸方向に延在することを特徴とする請求項５に記載の方法。
【請求項１０】
前記タブの上向きに形成された前記内側部分（１０ｂ）は、カップ状を有することを特徴とする請求項１から８のいずれか１項に記載の方法。
【請求項１１】
上向きに形成されたタブ部分（１０ｂ’）は、当該タブ部分の内側端部に向けて幅狭になっていることを特徴とする請求項１に記載の方法。
【請求項１２】
前記上側ツール（３０）は、当該上側ツールの下面において、
前記中間部分の領域において有限の延在部における押付面（３２）と、
前記押付面から径方向外側に延在し、好ましくは折り重ねられた前記タブ（１０）を前記中央ホイルとほぼ平行に維持する平坦保持部分（３３）と、
前記押付面の径方向内側かつ軸方向上方に延在し、前記タブにおける軸方向上方に形成された内側縁部部分（１０ｂ）を受けるキャビティ（３１）と、
を有するように成形されていることを特徴とする請求項５に記載の方法。
【請求項１３】
前記中央ホイル（３）は、ほぼ１００μｍ以下であることを特徴とする請求項１に記載の方法。
【請求項１４】
前記中央ホイル（３）は、少なくとも３層（７０’、７１、７０”；ｄ８０、ｄ８１）を有する多層構造からなり、
中央層（７１）は、好ましくは外層よりも厚く、金属性を有することを特徴とする請求項１に記載の方法。
【請求項１５】
請求項１から１４のいずれか１項に記載の蓋（１）を前処理しかつ形成する方法に基づいて製造された継ぎ合わせ可能な蓋であって、
−  容器本体の本体フランジに継ぎ合わせるように構成されたカール状に径方向外側に延在し、かつほぼ平坦フランジに径方向内側に延在し、前記平坦フランジが固着され（９）かつ中央ホイル（３）の外側リング（２ｂ）に固着され、前記中央ホイルが、前記平坦フランジ（２ｂ）の内側縁部の径方向内側にある当該蓋リング（２）の内側開口部（８）を覆う、蓋リングと、
−  タブ（１０）を有する中央ホイルであって、前記タブが当該中央ホイル（３）の径方向外側縁部から径方向内側に延在し、好ましくは径方向内側に折り畳まれ（１０ｄ）、そしてタブ長さ（ｙ１０）からなる主延在部に沿って当該中央ホイル（３）の上面とほぼ平行で当該中央ホイル（３）に近接して位置する、中央ホイルと、
−  前記タブは、外側部分（１０ａ）と内側部分（１０ｂ）と中間部分（１０ｃ）との３つの径方向延在部分を有し、
−−  前記内側部分（１０ｂ）は、当該内側部分（１０ｂ）と前記外側部分（１０ｃ）との間にある前記中間部分（１０ｃ）に作用する押付または圧迫動作（Ｆａｘ；３０、４０）中において軸方向上方に起立し、当該内側部分を１０°から４５°の間の所定角度でかつ前記タブ長さの１／３未満の長さ（ｙ２０）でホイル上面（３”）から離間するように強制させ、そして前記外側部分（１０ａ）を前記中央ホイル（３）とほぼ平行に維持することを特徴とする蓋。
【請求項１６】
前記タブ（１０）の上向きに形成された前記内側部分は、カップ状を有することを特徴とする請求項１５に記載の蓋。
【請求項１７】
前記タブの上向きに形成された前記内側部分（１０ｂ）は、当該内側部分の内側端部に向けて幅狭となっていることを特徴とする請求項１５または１６に記載の蓋。
【請求項１８】
前記押付または圧迫動作は、好ましくは前記タブ（１０）の幅全体に沿って、ストリップ部分（３２）に実行され、前記ストリップ部分を前記中央ホイル（３）に物理的に密接させる（３’）ことを特徴とする請求項１５に記載の蓋。
【請求項１９】
前記タブ（１０）は、別個のデバイスであり、前記ホイルの外側縁部部分に固定され好ましくは接着されまたは固着されることを特徴とする請求項１５に記載の蓋。
【発明の詳細な説明】
【技術分野】
【０００１】
本発明は、蓋を前処理しかつ形成する方法に関する。同様に、蓋に関する。蓋は、蓋リング（デッケルリング、環状構成部材）と、蓋ホイル（薄膜）と、を備えており、蓋リング及び蓋ホイルは、共に機能しかつリング状様式で薄膜を好ましくは金属リングからなるパネルに固着する固着部分によって互いに結合されている。
【背景技術】
【０００２】
金属リングは、継合縁部（継合可能な外側部分）を有するように外側に形成されており、継合縁部は、複数の継合部によって本体壁部の本体フランジに継ぎ合わせられ、本体部をリング及びホイルで被覆する、すなわち蓋で本体部を被覆するように設けられかつ形成されている。
【０００３】
金属性の蓋リングと金属製、プラスチック製または組み合わせ製の蓋ホイルとは、いくつかの種類及び形状において既知である。ホイルが固着される（蓋ホイルが固着される）平坦リングフランジは、いくつかのさまざまな方向付けがされている。リングフランジは、水平に方向付けられ、フランジは、上方へ傾けられ、そして、フランジは、下方へ傾けられる。フランジは、内圧が軸方向に力を供給してホイルに作用し、固着部分にそしてパネル（リングフランジ）に伝搬される場合に、密封容器の殺菌中にフランジの形状を変化させる。そのため、さまざまな方向付けがあり、同様に、内側開口部を被覆するホイルについてさまざまな方向付けを選択しており、ホイルは、殺菌処理前、処理中及び／または処理後に被覆している（特許文献１（Impress）、特許文献２（Crown）及び特許文献３（Alcan）参照）。
【０００４】
これら変形例すべては、殺菌処理中に異なる形状を有するホイルに作用する。殺菌処理は、高圧かつ高温をかけ、容器内の食品を長時間の保管及び運送において安定させ、最高１３００℃のこの殺菌中に、圧力は、蓋によって耐えられなければならない。
【先行技術文献】
【特許文献】
【０００５】
【特許文献１】国際公開第２００７／０８８２１２号パンフレット
【特許文献２】国際公開第２００５／００５２７７号パンフレット
【特許文献３】国際公開第２００７／４５３８５号パンフレット
【発明の概要】
【発明が解決しようとする課題】
【０００６】
このような殺菌処理後に、蓋は、消費者がこの蓋を開けようとするまで、長期間の貯蔵寿命を提供する。非常に短い期間において、開放力は、蓋及びホイルが殺菌処理中に耐えなければならないこれら力とは対照的に、非常に低くなければならない。多くの処理が連続的なレトルトシステムを用いて動作するように、殺菌のすべての処理は、逆圧を有しているのではない。この分野において、技術的な問題としての本発明の課題は、より優れた性質を有する蓋を提供することである。
【０００７】
解決する問題は、タブを提供することであり、タブは、薄膜（ホイル）上に密接して位置しているべきである。充填生産ライン上に／充填生産ライン中におけるすべての処理中において、タブは、起立していないべきであるが、ホイルが固着される蓋リングのパネルに近接するタブの長さを考慮すると、ホイルと共にかつホイルに沿ってできるだけ近接してとどまっているべきである。それにも拘らず、タブは、殺菌処理のはるか後に蓋を開けようとするときに、最終消費者によって掴まれる掴み部分を形成すべきである。掴み部分は、ホイルと平行かつホイルに非常に近接して位置していない、すなわち、ホイルは、殺菌後かつ運搬及び保存並びに保管期間中にこの形状を有するように、ホイルから起立されまたはホイルから離間するように曲げられている。これは、相反する問題であるように思われ、まして薄いホイルが将来より一般的に使用される場合にさらに強調され、そして、ホイルとして同一材料から形成されたストリップが設けられたタブは、タブが配置された位置を積極的に維持するためのタブ自体の剛性を有していない。
【課題を解決するための手段】
【０００８】
この問題は、請求項１における方法によって解決される。蓋リングは、カールを有して径方向外側に延在している。カールは、蓋リングを本体フランジに継ぎ合わせる形状を提供する。径方向内側において、蓋リングは、フランジであってフランジに固着されるホイルを受けるように構成されたフランジであるパネルを有している。ホイルは、蓋リングの内側開口部を閉塞しており、内側開口部は、大部分の場合において円形であるが、楕円形、長方形及び正方形のような他の形状を有してもよい。少なくとも上側ツールは、タブの中間部分（及び下にあるホイル部分）に明確に作用してこれらを共に圧迫または押し付け、そして内側タブ部分を所定角度で上向きにかつホイルに対して平行な位置から離間するように強制的に動かす。
【０００９】
問題は、請求項１５における蓋によって同様に解決される。蓋リングは、カール部を有して径方向外側に延在する。カール部は、蓋リングを本体フランジに継ぎ合わせるための形状を提供する。径方向内側において、蓋リングは、フランジであるパネルであってパネルに固着されるホイルを受けるパネルを有している。ホイルは、蓋リングの内側開口部を閉塞しており、内側開口部は、ほとんどの場合において円形であるが、楕円形、長方形及び正方形のように他の形状を有してもよい。タブにおいて圧迫されまたは押し付けられた部分は、所定角度で上向きにタブの内側部分を強制的に動かすが、内側部分だけである。
【００１０】
中央ホイルには、タブが設けられており、タブは、好ましくは中央ホイルの材料の延在部でありかつ好ましくはホイル延在部に隣接してできるだけ近接して覆うように折り重ねられている。このようにして形成されたタブは、ストリップ状をなしており、径方向内側に延在する幅狭端部を有している（請求項１１）。外側端部は、金属リングの平坦パネルにおける固着部分の径方向外側端部に隣接している。この外側端部は、約３６０°の折畳部であってもよく、取付場所であってもよく、中央ホイルの外側縁部に固着すること、接着することまたはリベット打ちすることによって適切な方法で別個のタブを固定する。
【００１１】
タブの径方向内側端部は、ホイルの上方において内側開口部に重なるように位置し、この開口部を覆っている。ホイル及びタブは、ほぼ平行な関係にある。そして、内側部分は、（押付または圧迫作用の時点で）軸方向上方に起立するが、長さ延在部に限定される。タブの残りの部分は、蓋リングがパネルを有し、パネルが上方に傾斜して、単に水平にまたは下方に傾斜して延在することを問わず、固着ホイルに近接して位置し（または保持され）ている。固着ホイルは、タブがホイルの方向付けに付随するように、蓋リングにおけるパネルのこの最初の方向付けに付随する。
【００１２】
中央ホイルの形状は、２つの態様においてさまざまな幾何形状を有している。中央ホイルの基部形状は、以下の段落において説明されるように、蓋リングの形状に基づいている。中央ホイルの垂直方向形状は、平坦リングパネルの方向付け及びこれが水平に、上向きに傾いてまたは下向きに傾いて向けられているかに基づいている。そのため、パネルの中央部分は、平坦、下向きドーム状または上向きドーム状のいずれかである。中央部分は、殺菌中に充填された容器の内側からかかる圧力によって中央部分の形状を変化させ、表面を表面の形状において変化させ、この変化を用いてホイルの表面と平行またはホイルの表面に沿って方向付けられたタブを処理する。
【００１３】
蓋リングの形状は、この形態において円形であるが、蓋リングの形状は、同様に、楕円形、正方形または細長い形状をなしてもよい。蓋リングの平坦リングパネルにおける内側縁部は、さまざまな形状、開いたカール、閉じたカール、（畳み込まれまたは折り込まれた）二重材料層からなる扁平な端部、及び処理されていない切断縁を有してもよい。好ましくは、中央ホイル上に重ねることによって覆われる閉じたカールまたは自由切断縁である。
【００１４】
タブの長さ延在部における１／２を越えて２／３を越えるまでは、ホイルに隣接して近接しており（請求項４、１５）、ちょうどタブの内側端部部分は、上方に起立する（請求項１５）。これにより、指は、上方を向く端部の下方を掴みかつタブのこの内側を向く端部を掴んでタブを引き剥がし、固着バリアを開放してホイルをホイルが取り付けられているパネルから引き剥がすことによって、ホイルを開放する。
【００１５】
このタブの形状は、押付または圧迫動作によって前加工され、押付または圧迫動作では、上側ツール及び下側ツールが共に働く。上側ツールは、タブの径方向外側領域と短い径方向内側領域との間の中間にある領域において押付または圧迫力をタブにもたらし、タブの内側領域を圧力または圧縮及びその反力によって上向きに起立させる。押付または圧迫動作は、閉塞前にもたらされており、実際には、蓋の製造中にもたらされる。次に、蓋は、積み重ねられて販売され、別個に移送される、または蓋は、本体フランジに取り付けられ、充填のために３ピース缶(three-part can)を底端部に向けて開口させる。そして、蓋部は、容器本体と共に、消費者に供給される。
【００１６】
これは、「殺菌処理前」を説明しており、殺菌は、充填プラントにおいて発生し、蓋の製造は、蓋が完成したときに完了するか、蓋及び追加の本体部分が共に継ぎ合わされたときに完了する。
【００１７】
上記殺菌処理前に、押付または圧迫動作は、好ましくは折り返されたタブのような内側に延在するタブと継ぎ合わされたホイルとの間に作用される。これは、平坦フランジの内側縁部から径方向内側にありかつタブの内側端部の径方向外側にある領域である。これは、タブにおける２つの端部部分間の中間部分であり、タブの長い範囲がホイルに近接したままであることを可能とする。その替わりに、径方向内側端部の小部分のみが上向きかつホイルから離間するように起立している。
【００１８】
圧迫は、好ましくはタブの幅全体に沿って、線状またはストリップ状部分になされてもよい（請求項７）。同様に、圧迫されは、ドット状であってもよい（請求項８）。好ましくは、ストリップは、ホイルと共に中間部分にタブを圧迫するまたは押し付けるのに十分な圧縮力をもたらし、反作用または結果として、タブの内側端部を軸方向上方に強制させてギャップを開放させ、その後に人間の指がこの上向きに強制された端部の下方に達しまたはこのタブの下方を掴むことを可能とする。
【００１９】
上方端部は、蓋が蓋の形状及び軸方向の位置を変化させる場合である任意の殺菌処理を妨害するまたは害することがないように依然として十分に低くなっている。この圧迫または押し付けは、２つのツールがそれらをそのままにできるようにする場合に、非常に薄いホイル及びタブ、好ましくはごく微量のアルミニウムを有するホイル及びタブがこの位置を維持するまたはこの位置のままであることを確実にする。
【００２０】
好ましくは、角度は、水平面に対して、タブの上向きに延在する内側端部の形状の平均値として１０°から４５°の間である（請求項１５、３）。押し付けまたは圧迫動作及び押付または圧迫力を達成するため、ツールの一方は、他方に接近し（請求項６）、このためツールは、互いに移動される。まだ蓋が継ぎ合わせによって本体に固定されていないため、蓋は、容易に取り扱われ、圧迫または押し付け動作をもたらす２つのツール間に容易に配置される。タブの内側端部が上方に強制されることまたは延在することを可能とするため、上側ツールは、キャビティを有しており（請求項９）、キャビティ内には、タブの内側端部における強制的な曲げが発生する。タブの内側端部の自由成形は、タブの径方向内側端部よりもさらに径方向外側にある部分における圧力または圧縮並びに変形によって強制されまたは強要される。
【００２１】
押し付けが導入されかつ圧迫動作の場所がおおよそドット状及び非線状である場合には、カップ状が得られる。カップは、側方端部をタブの内側中央舌部分よりもさらに上向きに成形させる（請求項１０）。
【００２２】
ツール（請求項１２）は、説明したように動作し、平坦押圧面を有するように成形されており、押付または圧迫力をもたらしてタブの内側縁部を上向きに屈折させるまたは起立させる。この平坦押付面は、タブの中間部分に作用する。径方向外側には平坦保持部分があり、平坦保持部分は、受動的であるか、中間部分の径方向外側にあるタブ部分に力をさらにもたらしてタブ部分を強制的にホイルに近接させる。平坦押付面によって作用される中間部分の径方向内側には、掴むことが可能なタブの内側端部にある上向きの屈曲部（または「上向き屈曲部」）を受けるキャビティがある。この上方端部は、人間の指がこの端部の下方を掴むことが可能なように設計されており、タブを上向きかつ離間して引き剥がしてホイルを固着部分から解放する、すなわち容器を開口して内容物へのアクセスを得る。
【００２３】
上側ツールにおける平坦押付面の好ましい形状は、ストリップ状である。また、ストリップは、線状である（請求項７）が、より大きい径方向延在部を有している。幅の小さい線部がある場合、ストリップは、細線部まで縮小されており、細線部が径方向に延在している場合、細線部は、程度の差はあるが太線部またはストリップになる。このストリップは、未だ幅狭（ストリップの延在部において制限されている）であり、ストリップは、タブの両側方端部に達しないドット状を有している。ストリップ／線部は、垂直断面において滑らかな突出部さらにはＵ字状まで及ぶ複数の形状または形態を有しており（請求項７）、実際にはタブ中間部分とホイルにおける対応する下にある部分との双方を軸方向に変形させる。タブ中間部分とホイルにおける対応する下にある部分との双方は、Ｕ字状を得る。また、この突出部のさらなる垂直断面は、同様にタブの中間部分とホイルの対応する下にある部分とに作用するＶ字状を有してもよい。これは、垂直断面において得られるが、水平方向においてすなわち側方において、いくつかの変更があってもよい。線部は、直線部であってもよく、または、線部は、水平方向において若干曲げられまたは湾曲されてもよく、タブの径方向内側端部部分における上向きの折り畳みすなわち上向きの起立作用を強化する。線部自体は、連続的な線部である必要はなく、直線部かつ／または曲げられ／湾曲形態の双方において、不連続的な線部、ドット状の線部または破線部であってもよい。
【００２４】
これらツールすべては、ツールの径方向内側縁部においてキャビティを有しており（請求項９）、キャビティにより、対応する上側ツールの押し付けまたは圧迫動作中に、タブの径方向内側端部が上向きに起立することが可能となる。
【００２５】
ホイルは、好ましくは、リングに合わせられかつ内側開口部よりも若干大きいサイズを有している。ホイルの厚さは、約１００μｍ以下であり、薄いアルミニウム部分が層として使用されまたはアルミニウム部分が層として使用されない場合に、好ましくは５０μｍから６０μｍと同じくらい薄い。そして、ホイルは、金属性の中間層がない状態で、１つまたは２つのプラスチック層で構成されている。現在入手可能なホイルは、依然として厚く、少なくとも２つまたは３つの層を有している。
【００２６】
本発明における内側層は、６０μｍから８０μｍの間の厚さを有しており、好ましくは、プラスチック層で両側が被覆されたアルミニウム層を有しており、プラスチック層は、アルミニウム層よりも薄いが保護部をもたらしかつ固着を可能とする。
【００２７】
ホイルは、同一材料でタブ内に延在しており、タブにおける層特性は、中央ホイルにわたっている。タブが中央ホイルの外側縁部に取り付けられる別個のデバイスである場合、タブは、異なる特性からなる材料を有してもよく、タブは、より厚く、より薄く、及びタブの構造または層に沿って他の層構造または他の材料成分であってもよい。そして、このタブは、外側端部に固定されており、固定は、接着によって、固着によって、及びリベット打ちされたまたは波形が付けられた接続部分によって、なされる。
【００２８】
図において後述される実施形態は、請求される本発明の理解を支援する。
【図面の簡単な説明】
【００２９】
【図１】中央開口部を閉塞するホイル３及びタブ１０を有する蓋と、図示しない本体部に継ぎ合わされるように構成された外側部分と、を示す斜視図である。
【図２ａ】径方向外側部分のみを示す図１のＡ−Ａ垂直断面図である。
【図２ｂ】径方向外側部分のみを示す図１のＡ−Ａ垂直断面図である。
【図３】上側ツール３０と下側ツール４０との間で作用されかつ処理されるときを示す図２の断面図である。
【図４】タブの中間部分１０ｃに押付力または圧迫力をもたらしてタブ１０の内側端部１０ｂを上昇させる上側ツール３０を示す（拡大）図である。
【図５】蓋リング２、タブ１０及びホイル３の外側リング３ｂを有し、内側開口部８を覆っている蓋１の外側端部部分を示す拡大図である。
【図５ａ】以前の図の実施形態について使用される多層ホイルの一部を示す断面図である。
【図５ｂ】上述した実施形態について使用される多層ホイルの一部を示す断面図である。
【図６ａ】上側ツール３０とその突出部３２とによってもたらされる形状を示す（拡大）図であり、突出部がタブの中間部分１０ｃに押付または圧迫力をもたらしてタブ１０の内側端部１０ｂを起立させ、ここで複数の実施形態において示される形状の変形に作用する。
【図６ｂ】上側ツール３０とその突出部３２とによってもたらされる形状を示す（拡大）図であり、突出部がタブの中間部分１０ｃに押付または圧迫力をもたらしてタブ１０の内側端部１０ｂを起立させ、ここで複数の実施形態において示される形状の変形に作用する。
【図７ａ】部分１０ｃにおける押付及び圧迫力の線部形状とその作用とを示す図である。
【図７ｂ】部分１０ｃにおける押付及び圧迫力の線部形状とその作用とを示す図である。
【図７ｃ】部分１０ｃにおける押付及び圧迫力の線部形状とその作用とを示す図である。
【図７ｄ】部分１０ｃにおける押付及び圧迫力の線部形状とその作用とを示す図である。
【図７ｅ】部分１０ｃにおける押付及び圧迫力の線部形状とその作用とを示す図である。
【発明を実施するための形態】
【００３０】
斜視図としての図１は、本発明の実施形態において使用される構成部材の一部を示している。タブ１０は、被覆ホイル３に近接する細長部分として形成されている。蓋リング２は、好ましくは金属から形成されているが、同様に硬いプラスチックであってもよく、図２ａにおいて断面で示されている外側カール部２ａを有している。このカール部は、ここでは図示されていないが技術分野において一般的である本体フランジに継ぎ合わされるのに適している。
【００３１】
タブ１０は、タブが折畳部分１０ｄを有する外側、好ましくはホイルの円周縁部まで延びており、タブを内側に折り返しておりかつタブを被覆ホイルとしての薄膜３の外形に近接して維持する。内側端部部分１０ｂは、傾けられており、次の図においてより詳細に図示されるように、ホイル３の表面延在部から起立しており、指で掴むことによって内側端部部分を摘んでタブ１０に沿って引き裂くことを可能とする。この剪断力は、図５に示すように設けられた固着リング層９を開放する。
【００３２】
固着部としてのリング領域９は、その外側縁部リング３ｂにおいて、蓋リング２及びそのフランジまたは平坦リングパネル２ｂに対するホイル３の液密固着をもたらす。
【００３３】
蓋リングの形状は、この実施形態において円形であるが、形状は、同様に、楕円、正方形及び長方形であってもよい。蓋リングにおける平坦リングパネルの内側縁部２ｃは、開いたカール、閉じたカール、（折り畳まれたまたは折り込まれた）二重材料層からなる平坦な端部及び処理されていない切断縁など、多様な形状を有している。閉じたカールまたは切断自由縁(free cut end)であることが好ましく、閉じたカールまたは切断自由縁は、重ね合わせる中央ホイルによって被覆される。
【００３４】
また、中央ホイルの形状は、２つの態様において多様な幾何形状を有している。中央ホイルの基部形状は、上の段落において説明したように蓋リング２の形状に基づいている。中央ホイルの垂直方向形状は、平坦リングパネル２ｂの方向付けにより、かつ方向付けが水平に向けられているか上向きに傾斜しているかまたは下向きに傾斜しているかに基づいている。そのため、パネル３の中央部分３ｃは、平坦、下向きのドーム状または上向きのドーム状のいずれかである。中央部分は、殺菌中に、充填された容器の内側からかけられた圧力によって中央部分の形状を変化させ、表面３”を表面の形状において変化させ、そして形状におけるこの変化を用いてホイルの表面３”と平行または表面３”に沿って方向付けられたタブ１０を処理する。
【００３５】
タブ１０をより詳細に説明する。タブ１０は、図２ａに示すように平坦な（または完全に平行な）初期位置を有しており、タブは、図３、図４に示すように、上側及び下側ツール３０、４０の動作後に所定位置を有している。
【００３６】
ホイルの表面３”を有するホイル３の延在部は、蓋リング２の開口部８を覆っている。ホイル３は、中央部分３ｃと、平坦リングパネル２ｂとその内側カール２ｃとの上に位置する外側部分と、を有している。この部分のみが固着領域９を用いて平坦リングパネル２ｂに固着されている。これは、長さ部分ｙ３０である。より長い長さ部分ｙ１０は、長さ部分ｙ３０からタブ１０の長さ部分まで径方向内側に延在しており、タブ１０の長さ部分は、内側端部部分を１０°から４５°の間の角度、角度αとして約４５°で傾斜して示された図５の角度で上方に折り曲げて開始している。この上方に角をなす部分は、図３及び図４に関して説明されたように押付または圧迫動作中に軸方向上方に起立しており、長さ延在部ｙ２０を有しており、長さ延在部ｙ２０は、長さの定義ｙ３０からｙ１０すべての総和の１／３未満である。
【００３７】
したがって、ホイル３は、内側部分３ｃと外側部分３ｂとを有している。この実施形態において、内側部分３ｃは、円形であり、外側部分３ｂは、リング状である。タブ１０の材料は、図５ａ及び図５ｂにおいてより詳細に説明されるが図５において明確に示されていないように、中央ホイル３の材料と同一である。タブは、折畳部分１０ｄを有しており、折畳部分は、ホイルの外側部分３ｂから出現し、そして内側に折り返されて内側端部１０ｂを上方に角度を付けた状態で延在している。タブの外側径方向部分１０ａは、折畳部分１０ｄから径方向内側に中間部分１０ｃに向けて延在しており、中間部分１０ｃは、延在部ｙ１０の径方向内側端部にある。
【００３８】
図５に示すように、ホイル３の表面３”とタブ１０の長さ伸張部とは、初期的にほぼ平行である。ホイル３の別の傾斜を有すると、ホイルは、ホイルの表面に近接して位置するタブ伸張部を有することによって、平行なままである。この近接関係を強化するため、上側ツール３０と下側ツール４０とは、中間部分１０ｃにおいて軸方向力Ｆａｘで押し付けかつ圧迫しるように設けられており、材料の強制的な変位と、少なくとも中間部分１０ｃの所定部分におけるタブ１０とホイル３の表面３”との間における中間物理的接触部３’をもたらす。材料を変位させ、そして押し付けまたは圧迫としてこの部分に圧力をかけることは、タブの内側端部１０ｂの反作用を強制させ、内側端部は、以前にはホイルとほぼ平行に配置されておりかつここで図５に示すような角をなす部分において立ち上がる。
【００３９】
この蓋を前処理することにより、指は、内側端部部分１０ｂの下方にある位置Ｇにおいて掴める。この部分の長さは、ｙ２０であり、通常の指が内側端部１０ｂの両面に達することを可能とし、消費者によって、内側端部を掴んでタブ１０に沿って破り、固着領域９及び蓋を開口させることを可能とする。この開口動作は、殺菌後のいつかであり、このときまで、タブは、比較的密接したままであり、消費者によって使用するために内側端部１０ｂを上方に起立させる。殺菌中には、同じことが適用され、起立端部１０ｂは、殺菌処理に害をなさない。説明したように、この殺菌中に、蓋ホイル３は、蓋ホイルの形状を変化させて上向きのカップ状に変位され、そして、タブ１０における非常に長い自立端部は、特に連続的なレトルトシステムにおいて、殺菌処理を妨害する。
【００４０】
タブの内側部分１０ｂにおける角をなして軸方向上向きの変位を形成するため、蓋は、図５に示すように、上側ツール３０と下側ツール４０との間に配置される。上側ツールは、下向きに延在しかつ線状またはドット状をなす突出部３２を有している。動作時に押込または圧迫力を提供するため、この突出部の径方向外側は、平坦支持部分であり、径方向内側は、キャビティ３１であり、キャビティ３１は、タブにおける上向きに折り畳まれた内側端部部分１０ｂを受け、突出部３２が中間部分１０ｃの所定部分に作用すると、材料を変位させ、そして材料の変位及び一定量のタブのホイル材料を押し付けるまたは圧迫することによって内側端部部分１０ｂを持ち上げ、突出部３２の所定位置においてホイル３の上面３”との中間接触部３’を形成する。
【００４１】
図４の断面図において示されるように、押付力Ｆａｘを形成するために作用する突出部３２は、幅狭突出部を有しており、幅狭突出部は、タブ延在部を横断するように横方向に線状をなしており、そして上述した径方向外側部分３３と径方向内側部分３１との２つの部分を有している。
【００４２】
図４の上側ツールは、上側ツールがタブ１０の中間部分１０ｃに作用するとして図６ａ及び図６ｂにおいて同様に示されている。図６ａのツールは、Ｖ字状の突出部３２’を有している。図６ｂのツールは、Ｕ字状の突出部３２”を有している。両ツール３０は、内側ツール端部として径方向内側かつ上方に延在するキャビティを有しており、タブ内側端部１０ｂの軸方向上方への移動を可能とする。ツールの形状は、図４の比較的滑らかな突出部３２とは異なる。Ｖ字及びＵ字の形状は、同様に、タブの中間部分１０ｃの下方においてホイル３を変形させる作用のためにより露出される。中間部分１０ｃ’は、ホイル３における対応する下にある部分が同一の形状を受けるように、Ｖ字状の溝を受ける。図６ｂのＵ字変形部は、タブ１０とホイル３における下にある部分であって矢印１０ｃ”が指し示す部分との双方に作用する。
【００４３】
下側ツール４０は、対応する相補形状を有しているが、図６ａ及び図６ｂにおいて別個に示されていない。
【００４４】
これら説明されたツールすべては、図７ｃ、図７ｄ及び図７ｅにおいて例示される横方向形状をなしてもよい。タブ内側端部部分１０ｂは、上方に傾斜されており、これは、直線部１０ｆとして、点線部もしくは破線部１０ｆとして、または横方向の弓状線部もしくは湾曲線部１０ｆ”’としてのいずれかとして、押付及び圧迫ラインを形成する突出部３２、３２’または３２”によって達成される。ツールは、説明したように、異なる形状１０ｆを有するこの線部の幅においてより広いまたはより狭い幅を有してもよく、そして、線部は、このような線部よりも幅広であるストリップ部分であるが、まだ径方向の延在では狭くなっている。
【００４５】
２つの他の形状は、図７ａ及び図７ｂにおいて例示されている。図７ｂは、押付及び圧迫動作のドット形状を示しており、このドット形状は、タブ内側端部部分１０ｂを分離した形状(schi-shaped)とする、すなわち側方部分が上方に曲げられかつ内側端部は上方に曲げられかつ幅が狭くなっているカップ形状を有している。ドットは、ドットの径方向延在部において小さくまたは大きくなっており、図３、図６ａ及び図６ｂに示されるツールと同様に、上側ツールによって作用される。
【００４６】
小さな内側端部部分１０ｂ’を有する内側に細くなるタブの形状は、図７ａに示されており、同様に、上側ツール３０の押付または圧迫動作中に軸方向上方に起立する。
【００４７】
タブの外側端部１０ｄは、別個には示されずに表現としてのみ説明されており、すべての実施形態において折り重ねられて示されている。この折畳部は、タブ１０が別個のデバイスである場合、取付部分によって置換されてもよいが、中央ホイル３の外側端部部分に初期的に固定されており、第１段階として図２ｂに示すように、平坦延在部を有している。そして、折畳部１０ｄは、示されていないが、接着され、固着され、リベットで設けられまたは他の適切な起伏部のいずれかである取付場所であってホイル３のリング部分３ｂの下方にある固着ストリップ９を開放するためにタブ１０を引くときに力を伝達させることが可能な取付場所によって置換されている。
【００４８】
蓋自体は、上側及び下側ツール３０、４０間の一定位置で保持されており、上側もしくは下側の一方または双方のツールは、ホイル３に向けて軸方向で変位され、ギャップを最小として押付力を作用させる。これは、突出部３２のすべての形状及びすべての説明されたツール３０、４０について適用される。
【００４９】
上側ツール３０の保持部分３３は、内側カール２ｃの開始前において、外側部分１０ａの方向付けを支持し、ホイルに対して平行かつホイルに近接して維持される。
【００５０】
両ツールは、この内側カール縁部２ｃの径方向内側にあり、ホイル３の中央部分３ｃの径方向外側においてタブ１０の外面に力すなわち押付作用を作用させない。
【００５１】
突出部３２がドット状でありまたはいくらかの円形延在部を有している場合、上向きに角をなす内側端部部分１０ｂの形状は、ほぼカップ状であり、材料がより多くの方向に変位させるように、上方に膨出する側方端部縁部を有している。線状の突出部のみが存在している場合、材料の変位は、単純に径方向である。ドット状または拡大したドット状の突出部である状態で、材料は、中間部分１０ｃにおいてタブ材料との接触点または接触領域それぞれから円形１０ｆ””に変位する。
【００５２】
双方のツール３０、４０を開くことにより、前加工された蓋を引き出すことが可能となり、そして、前加工された蓋は、形成されかつ成形され、レトルトシステムにおける使用のために前加工される。また、蓋は、殺菌処理を受けた後に（最終）消費者によって使用されるように設けられており、この最終消費者（消費者）は、依然として上向きに角をなす内側端部部分１０ｂを使用する。上側ツール３０の径方向延在部と比較すると、突出部３２は、幅狭ストリップまたは小ドット状延在部と称されてもよい。達成された上向き角度は、１０°から４５°の間であり、具体的な実施形態は、４０°を越えて示しており、非常に短い内側端部部分１０ｂは、タブ１０の全体長さｙ３０＋ｙ１０＋ｙ２０の１／５と１／６との間である。角度は、好ましくは２０°から３０°の間である。
【００５３】
上側ツール３０、ハンマーまたは圧印(coining)ツールは、その動作において説明されており、リング状部分ｒ３ｂを越えて径方向外側に到達していない。この領域において、この領域の外側部分は、延在部がｙ３０と称されており、折畳部１０ｄに近接するタブ延在部とホイル３の固着された外側リング３ｂとの間にいくらかの間隔を有しており、固着された外側リング３ｂは、依然として中央ホイルの上面とほぼ平行かつ中央ホイルの上面に近接しているとみなされる。このため、タブ長さの主延在部ｙ３０及びｙ１０は、蓋リング２のフランジリング２ｂに依存して、ホイルが水平形状、上向きに膨出するまたは下向きに膨出する形状であるかに拘らず、ホイル３に近接しかつホイル３とほぼ平行となる。
【００５４】
具体的な実施形態において、好ましくは設計において、内側端部部分１０ｂは、内側端部部分の内側端部に向けて幅狭となっており、図７ａにおいて別個に示されている。径方向外側に向けて幅広にすることにより、突出部３２は、ストリップ部分が押し付けまたは圧迫を開始するものとして使用されると、タブ１０の幅全体を覆う。
【００５５】
ホイル３の形状及び層は、図５ａ及び図５ｂにおいて説明される。
【００５６】
図５ａは、ほぼ１００μｍの厚さｄ７を有するホイルを有している。中央層７１は、好ましくはアルミニウムからなり、６０μｍと８０μｍとの間の厚さｄ７１を有している。上側及び下側被覆層は、それぞれｄ７０の厚さを有しており、上側層７０’及び下側層７０”として設けられている。これら層それぞれは、１０μｍと２０μｍとの間である。これらは、アルミニウム層７１を被覆しており、少なくともこれら３つの層を有する全体の層構造は、中央ホイル３として使用され、同様にタブ１０として折畳部分１０ｄを越える延在部として使用される。
【００５７】
このホイルが薄くなるにしたがって、タブ１０は、ホイル３に対するタブの近接関係を維持するために形成する構造力が小さくなる。ハンマー３０のような上側ツールとアンビル(anvil)のような下側相補ツールとを用いた押付動作は、タブの位置決めを補助し、このタブ１０に追加の剛性並びに内側端部部分１０ｂについての形成特性を付与する。
【００５８】
厚さの薄い別のホイル３は、図５ｂに示されている。３つの層が設けられており、層それぞれは、ほぼ同一厚さであり、中央アルミニウム層ｄ８０と頂部及び下部にある被覆層ｄ８０とのそれぞれは、２０μｍの厚さを有している。
【００５９】
ｄ８は、多層ホイル３としてのホイル全体の厚さをもたらしており、この厚さは、図５ａのホイル３の厚さのほぼ半分である。さらに、金属層の例としてのアルミニウム層は、同様に取り除かれて厚さｄ８０の２つのプラスチック被覆層を有し、被覆ホイルとしてかつ好ましくはタブ手段１０として使用するためのホイル３をよりいっそう薄くする。
【００６０】
図５に関して説明されたような押付または圧迫動作は、ホイル３の厚さが薄く（小さく）なるにしたがって、タブを位置決めするために中間領域１０ｃにおける押付固定がより重要になる。したがって、タブは、蓋で容器を閉塞した後の異なる動作中に展開されることを防止できる。タブは、閉塞作用の後の適切な時期において異なる動作後に折り込まれず、説明したように、蓋の形成工程の終わりにおいて蓋の最終位置を受ける。
【符号の説明】
【００６１】
１  蓋、２  蓋リング、２ａ  外側カール部、２ｂ  フランジリング，平坦リングパネル（平坦フランジ）、２ｃ  内側カール，内側縁部，内側カール縁部、３  パネル，ホイル，蓋ホイル，多層ホイル，中央ホイル，被覆ホイル，薄膜、３”  上面，表面、３’  中間接触部，中間物理的接触部、３ｂ  リング部分，外側リング，外側縁部リング，外側部分（縁部リング）、３ｃ  中央部分、３ｃ  内側部分、８  開口部（内側開口部）、９  リング領域，固着ストリップ，固着リング層，固着領域、１０  タブ，タブ手段、１０ａ  外側径方向部分，外側部分、１０ｂ  タブ内側端部，タブ内側端部部分，起立端部，内側端部，内側部分、１０ｂ’  内側端部部分（タブ部分）、１０ｃ  中間部分，中間領域、１０ｄ  外側端部，折畳部分、１０ｆ””  円形（凹部）、３０  ツール，ハンマー，上側ツール、３１  キャビティ，径方向内側部分、３２，３２’，３２”  突出部（押付面、ストリップ部分）、３３  保持部分，径方向外側部分（平坦保持部分）、４０  下側ツール、７０’  上側層、７０”  下側層、７１  アルミニウム層，中央層、Ｆａｘ  押付力，軸方向力、ｄ８０  中央アルミニウム層，  被覆層、ｙ１０  延在部，部分、ｙ２０  延在部、ｙ３０  主延在部，部分
【図１】
2011500471.tif 000003
【図２ａ】
2011500471.tif 000004
【図２ｂ】
2011500471.tif 000005
【図３】
2011500471.tif 000006
【図４】
2011500471.tif 000007
【図５】
2011500471.tif 000008
【図５ａ】
2011500471.tif 000009
【図５ｂ】
2011500471.tif 000010
【図６ａ】
2011500471.tif 000011
【図６ｂ】
2011500471.tif 000012
【図７ａ】
2011500471.tif 000013
【図７ｂ】
2011500471.tif 000014
【図７ｃ】
2011500471.tif 000015
【図７ｄ】
2011500471.tif 000016
【図７ｅ】
2011500471.tif 000017
【国際調査報告】
2011500471.tif 000018
2011500471.tif 000019
2011500471.tif 000020